(57)【要約】【課題】  スイッチ部の数を少なくでき、且つスイッチ部を確実にオンする操作ができ、更にはスイッチ回路部の構成も簡素化できると共に、操作の選択肢が増加されたミラースイッチ装置を提供する。【解決手段】  プリント配線基板１３には、矩形状のプッシャー１９の各辺部における各角部位４か所に対応して第１〜第４のスイッチ部２０〜２３を配設している。また、スイッチ回路部２４が設けられており、これは、一対の端子間に前記第１〜第４のスイッチ部２０〜２３と複数個の抵抗とを接続してなり、プッシャー１９の各辺部の押し込み操作、及び中心部の押し込み操作に応じた前記各スイッチ部２０〜２３の異なるスイッチ動作パターン毎に一対の端子間の抵抗値を複数（本発明の場合、５つ）得られる構成である。【選択図】  図１
2005044724.tif 000002
【特許請求の範囲】
【請求項１】
略矩形状をなし４つの各辺部、及び中心部が押し込み操作されるプッシャーと、
このプッシャーの矩形辺部の各角部位４ヶ所に配設され当該プッシャーの各辺部が押し込み操作されたときに各辺部に対応し２つがスイッチ動作すると共に、当該プッシャーの中心部が押し込み操作されたときに全辺部に対応し４つがスイッチ動作する第１ないし第４のスイッチ部と、
一対の端子間にこれら第１ないし第４のスイッチ部と複数個の抵抗とを接続してなり、前記プッシャーの各辺部の押し込み操作、及び中心部の押し込み操作に応じた前記スイッチ部の異なるスイッチ動作パターン毎に前記一対の端子間の抵抗値を変更するスイッチ回路部とを備えて構成されたミラースイッチ装置。
【請求項２】
第１ないし第４のスイッチ部のうち、第１のスイッチ部と第３のスイッチ部とが対角関係に配置され、且つ第２のスイッチ部と第４のスイッチ部とが対角配置され、
スイッチ回路は、
一対の端子間に、第１のスイッチ部と第１の抵抗と第４のスイッチ部とを順に接続してなる第１の直流回路を接続し、
この第１の直流回路と並列に、第２の抵抗と第３のスイッチ部と第３の抵抗と第２のスイッチ部と第４の抵抗とを順に接続してなる第２の直流回路を接続し、
第１の直流回路における第１のスイッチ部と第１の抵抗との接続点と、第２の直流回路における第３の抵抗と第２のスイッチ部との接続点とを接続し、
第１の直流回路における第１の抵抗と第４のスイッチ部との接続点と、第２の直流回路における第３のスイッチ部と第３の抵抗との接続点とを接続して構成されていることを特徴とする請求項１記載のミラースイッチ装置。
【発明の詳細な説明】
【技術分野】
【０００１】
本発明は、４つのスイッチ部を備え、５つの操作の選択肢を有するミラースイッチ装置に関する。
【背景技術】
【０００２】
図１３〜図１６には、従来のミラースイッチ装置１を示している。このミラースイッチ装置１は、図１３に示すように、ミラーの左右を選択、切り替えする左右切り替えノブ１ａ、ミラーを格納させるミラー格納ノブ１ｂ、そして操作ノブ２が配設されている。操作ノブ２は、上下左右の各部を押し込み操作されるものであり、これの裏面側には、図１４に示すように、略矩形状をなす板状のプッシャー３が設けられている。更に、このプッシャー３の裏面側には、ゴム製の押圧子ユニット４が配設されており、これらには６つの弾性押圧子４ａ〜４ｆが一体成形により形成されている。
【０００３】
また、この弾性押圧子４ａ〜４ｆの裏面側には、図１５、及び図１６に示すように、プリント配線基板５が配設されている。そして、各弾性押圧子４ａ〜４ｆに対応してスイッチ部６Ａ〜６Ｆが配置されている。このスイッチ部６Ａ〜６Ｆは同じ構成であり、そのうちの１つ、例えばスイッチ部６Ｃについて説明すると、図１２、及び図１３に示すように、弾性押圧子４ｃの裏面に設けた可動接点６Ｃａと、プリント配線基板５に設けられた固定接点６Ｃｂ、６Ｃｃとから構成されている。
【０００４】
このスイッチ部６Ｃは、弾性押圧子４ｃが押し下げられると、可動接点６Ｃａが両固定接点６Ｃｂ、６Ｃｃ間を導電（オン）し、弾性押圧子４ｃが復帰すると、可動接点６Ｃａが両固定接点６Ｃｂ、６Ｃｃ間を開離（オフ）する。
【発明の開示】
【発明が解決しようとする課題】
【０００５】
さて、上記操作ノブ２の上部が押し込み操作されると、弾性押圧子４ａ、４ｂの２つが押し下げられてスイッチ部６Ａ、６Ｂの双方がオンすることにより、図示しないミラーモータが通電駆動されてミラー鏡面が上向きに動作する。同様に、操作ノブ２の右部が押し込み操作されると、弾性押圧子４ｃ、４ｄの２つが押し下げられてスイッチ部６Ｃ、６Ｄの双方がオンし、操作ノブ２の下部が押し込み操作されると、弾性押圧子４ｄ、４ｅの２つが押し下げられてスイッチ部６Ｄ、６Ｅの双方がオンし、操作ノブ２の左部が押し込み操作されると、弾性押圧子４ｆ、４ａの２つが押し下げられてスイッチ部６Ｆ、６Ａの双方がオンする。
【０００６】
しかし、上記構成においては、スイッチ部６Ａ〜６Ｆの数、ひいては弾性押圧子の数も多くなってしまうという欠点があった。また、スイッチ動作が不確実であるといった不具合もあった。つまり、例えばプッシャー３の上辺部の図１４に符号Ｐｈで示す偏心位置を押し込み操作したり、或いは中心位置Ｐ０であっても斜めに押し込み操作したりすると、本来ならばスイッチ部６Ａ、６Ｂがオンされるところが、スイッチ部６Ｂ、６Ｃがオンしたしてしまうという問題があり、ユーザーの所望するミラー鏡面の動作が得られない場合があった。
【０００７】
更に、６つのスイッチ部６Ａ〜６Ｆを有しながらも、ミラースイッチ装置１としては４つの操作、つまりミラー鏡面を上向き、下向き、右向き、左向きに動作させる操作のいずれかの選択肢しか有しておらず、例えばミラーの格納操作は、前記したように図１３に示すような、ミラー格納ノブ１ｂを別途設けなければならず、ミラースイッチ装置１全体としての組立性、或いはユーザーの使用感等に問題があった。
【０００８】
本発明は上記事情に鑑みてなされたものであり、その目的は、スイッチ部の数を少なくでき、且つスイッチ部を確実にオンする操作ができ、更にはスイッチ回路部の構成も簡素化できると共に、操作の選択肢を増加できるミラースイッチ装置を提供することにある。
【課題を解決するための手段】
【０００９】
上記目的を達成するために、本発明のミラースイッチ装置は、略矩形状をなし４つの各辺部、及び中心部が押し込み操作されるプッシャーと、このプッシャーの矩形辺部の各角部位４ヶ所に配設され当該プッシャーの各辺部が押し込み操作されたときに各辺部に対応し２つがスイッチ動作すると共に、当該プッシャーの中心部が押し込み操作されたときに全辺部に対応し４つがスイッチ動作する第１ないし第４のスイッチ部と、一対の端子間にこれら第１ないし第４のスイッチ部と複数個の抵抗とを接続してなり、前記プッシャーの各辺部の押し込み操作、及び中心部の押し込み操作に応じた前記スイッチ部の異なるスイッチ動作パターン毎に前記一対の端子間の抵抗値を変更するスイッチ回路部とを備えて構成されていることを特徴とする（請求項１の発明）。
【００１０】
この構成によれば、プッシャーの矩形辺部の各角部位４か所にスイッチ部を配設しているから、スイッチ部の個数を削減できる。この場合、プッシャーの各辺部を押し込み操作したとき、この各辺部の両端部にスイッチ部が存在するから、両スイッチ部が確実に押し込み操作され、確実にスイッチ動作する。
また、プッシャーの各辺部の押し込み操作以外に、当該プッシャーの中心部の押し込み操作が付加されることに基づいて、異なるスイッチ動作パターンが得られるので、スイッチ部の個数を少なく（削減）しながらも、ミラースイッチ装置における操作の選択肢を増加させることができる。
【００１１】
ここで、４つのスイッチ部に対して、ミラー鏡面を上下等に動かすための信号を出力するスイッチ回路部が必要であるが、上記手段によれば、プッシャーの各辺部の押し込み操作、及び中心部の押し込み操作に応じて異なるスイッチ動作パターン毎に、一対の端子間の抵抗値を変更するスイッチ回路部を設けているから、プッシャーの４つの各辺部の押し込み操作に応じて一対の端子間から４つの抵抗値パターンを得ることができるのに加え、前記プッシャーの中心部の押し込み操作に応じて、上記４つの抵抗値パターンと異なる１つの抵抗値パターンを夫々得ることができ、比較的簡素な回路構成としながらも操作の選択肢を増加させることができ、例えばミラー格納ノブを別途設ける手間がなくなる。
【００１２】
また、上記の場合、第１〜第４のスイッチ部のうち、第１のスイッチ部と第３のスイッチ部とが対角関係に配置され、且つ第２のスイッチ部と第４のスイッチ部とが対角配置され、スイッチ回路は、一対の端子間に、第１のスイッチ部と第１の抵抗と第４のスイッチ部とを順に接続してなる第１の直流回路を接続し、この第１の直流回路と並列に、第２の抵抗と第３のスイッチ部と第３の抵抗と第２のスイッチ部と第４の抵抗とを順に接続してなる第２の直流回路を接続し、第１の直流回路における第１のスイッチ部と第１の抵抗との接続点と、第２の直流回路における第３の抵抗と第２のスイッチ部との接続点とを接続し、第１の直流回路における第１の抵抗と第４のスイッチ部との接続点と、第２の直流回路における第３のスイッチ部と第３の抵抗との接続点とを接続して構成するとよい（請求項２の発明）。
【００１３】
この構成によれば、プッシャーの各４辺（各辺部）のうち１辺が押し込み操作されることに基づいて、４つのスイッチ部のうち２つが選択的にオンすると共に、プッシャーの中心部が押し込み操作されることに基づいて、４つのスイッチ部の全部がオンするので、一対の端子間から、５つの抵抗値パターンを確実に得ることができる。
【発明の効果】
【００１４】
本発明のミラースイッチ装置は、以上の説明から明らかなように、スイッチ部の個数を少なくでき、且つスイッチ部を確実にオン操作でき、更にはスイッチ回路部の構成も簡素化できると共に、操作の選択肢を増加させることができるという優れた効果を奏する。
【発明を実施するための最良の形態】
【００１５】
以下、本発明の一実施例（一実施形態）について、図１〜図１２を参照して説明する。
まず、図２には、ミラースイッチ装置１１を正面から見て示しており、このミラースイッチ装置１１におけるスイッチケース１１ａの略中央にはミラー鏡面の上下方向等の動作を操作する操作ノブ１２が、この操作ノブ１２の上方にはミラーの左右を選択、切り替えする操作を行うミラー左右切り替えノブ１１ｂが夫々配設されている。また、図２、及び図３において、スイッチケース１１ａ内には、回路基板たるプリント配線基板１３が配設されていると共に、このプリント配線基板１３に、第１〜第４の弾性押圧子１４〜１７を備えた押圧子ユニット１８が配置されている。この押圧子ユニット１８はゴム製であり、従って各弾性押圧子１４〜１７もゴム製である。
【００１６】
そして、この４個の弾性押圧子１４〜１７はドーム型をなしており、そのうちの一つである弾性押圧子１５について説明する。この弾性押圧子１５は、薄肉の立ち上がり部１５ａの頂部に被操作部１５ｂを有し、この被操作部１５ｂは図３の矢印Ａ方向の押圧力を受けて、立ち上がり部１５ａの変形を伴いながら、その方向へ移動し（図６参照）、その押圧力が解除されると、上記立ち上がり部１５ａの弾性復帰力により元位置に復帰する。
【００１７】
この弾性押圧子１４〜１７の被操作部１４ｂ〜１７ｂ側には、操作ノブ１２によって押し込み操作されるプッシャー１９が設けられている。このプッシャー１９は、図４に二点鎖線で示すように略矩形状をなしている。また、操作ノブ１２は、図３、及び図５に示すように、前記スイッチケース１１ａに、上下左右の各部が押し込み操作し得るように設けられており、爪部１２ａにて抜止めが図られている。そして、この操作ノブ１２の４隅の裏面から押圧脚部１２ｂが形成されており、その先端部は前記プッシャー１９に当接している。従って、このプッシャー１９も、この操作ノブ１２の押し込み操作に基づいて上下左右の各辺部、及び全辺部が押し込み操作されるものである。
【００１８】
なお、このプッシャー１９、及び操作ノブ１２は弾性押圧子１４〜１７の弾性復帰に伴って元位置に復帰する。また、操作ノブ１２には、図２、及び図５に示すように、ミラー鏡面の上下方向等の動作を操作する操作ポイントを示すマーク１２ｄ、１２ｅ、１２ｆ、１２ｇが操作ノブ１２の上部、右部、下部、左部に付され、ミラーを格納させる操作をする操作ポイントを示すマーク１２ｈが中心部に付されている。
【００１９】
ここで、前記弾性押圧子１４〜１７は、図４に示すように、プッシャー１９の矩形辺部の各角部位に配設された形態をなしている。この場合、第１の弾性押圧子１４と第３の弾性押圧子１６とが対角関係にあり、また第２の弾性押圧子１５と第４の弾性押圧子１７とが対角関係になる。
第１〜第４のスイッチ部２０〜２３は、弾性押圧子１４〜１７に対応して設けられており、もって、第１のスイッチ部２０は第３のスイッチ部２２と対角関係にあり、また第２のスイッチ部２１と第４のスイッチ部２３とが対角関係にある。このスイッチ部２０〜２３同じ構成であるので、スイッチ部２１を代表して述べる。
【００２０】
スイッチ部２１は、図１に示すように、前述の弾性押圧子１５と、この弾性押圧子１５の被操作子１５ｂの裏面に取着された可動接点板２１ａと、これと対向して前記プリント配線基板１３に形成された固定接点部２１ｂ、２１ｃとか構成されている。そして、可動接点板２１ａが両固定接点２１ｂ、２１ｃ間を導通してスイッチ部２２オンとなる。
前記プリント配線基板１３には、前記第１〜第４のスイッチ部２０〜２３を含むスイッチ回路部２４（図７参照）が形成されている。このスイッチ回路部２４は、一対の端子である端子２４ｍと端子２４ｅ´との間に、第４のスイッチ部２３と第１の抵抗２５（３９０Ω）と第１のスイッチ部２０とを順に接続してなる第１の直列回路２６を接続し、この第１の直列回路２６と並列に、第２の抵抗２７（１００Ω）と第２のスイッチ部２１と第３の抵抗２８（５６０Ω）と第３のスイッチ部２２と第４の抵抗２９（４７０Ω）とを順に接続してなる第２の直列回路３０を接続し、更に第１の直列回路２６における第４のスイッチ部２３と第１の抵抗２５との接続点Ｓａと、第２の直列回路３０における第３の抵抗２８と第３のスイッチ部２２との接続点Ｓｂとを接続し、第１の直列回路２６における第１の抵抗２５と第１のスイッチ部２０との接続点Ｓｃと、第２の直列回路３０における第２のスイッチ部２１と第３の抵抗２８との接続点Ｓｄとを接続され構成されている。
【００２１】
また、このスイッチ回路部２４にはスイッチ部３１、スイッチ部３２等とを有するミラー切り替え回路部３３が接続されている。このミラー切り替え回路部３３は、前記スイッチ部３１の接点３１ａ、３１ｃを前記端子２４ｅ´に接続し、接点３１ｂ、３１ｄを端子２４ｅに接続し、他方のスイッチ部３２の接点３２ａを、例えば１００Ωの抵抗３４を介して端子２４mswに接続し、接点３２ｃを端子２４mswに接続し、端子３２ｂ、３２ｄを端子２４ｅに接続して構成されている。なお、端子２４ｅ´と端子２４ｅとは、スイッチ３１が導電状態で同電位である。
【００２２】
なお、ミラー切り替え回路部３３のスイッチ部３１、及びスイッチ部３２はミラー左右切り替えノブ１１ｂと連動しており、当該ミラー左右切り替えノブ１１ｂが左方向へ操作されると、一方のスイッチ部３１の接点３１ａ、３１ｂ間が導通されると共に、他方のスイッチ部３２の接点３２ａ、３２ｂ間が導通され、右方向に操作されると、一方のスイッチ部３１の接点３１ｃ、３１ｄ間が導通されると共に、他方のスイッチ部３２の接点３２ｃ、３２ｄ間が導通され、そして、操作子が中立位置にあるときにはいずれの接点間も開放される構成をなしている。
【００２３】
ミラー左右切り替えノブ１１ｂが左方向へ操作される（ミラー左右切り替えノブ１１ｂの左部が押し込み操作される）と、一方のスイッチ部３１の接点３１ａ、３１ｂが導通されると共に、他方のスイッチ部３２の接点３２ａ、３２ｂが導通される。これにより、図８に示すように、端子２４msｗと端子２４ｅとの間の抵抗は１００Ωとなる。また、ミラー左右切り替えノブ１１ｂが右方向へ操作されると、一方のスイッチ部３１の接点３１ｃ、３１ｄが導通されると共に、他方のスイッチ部３２の接点３２ｃ、３２ｄが導通される。これにより、端子２４mswと端子２４ｅとの間の抵抗は０Ωとなる。また、操作子が中立位置にあるときには抵抗は∞となる。これにより、ミラー左右切り替えノブ１１ｂが左右いずれの方向へ操作されたかが分かるものである。
【００２４】
なお、前記端子２４ｍ、及び２４ｅは、両端子２４ｍ、２４ｅ間の抵抗値に応じた信号（電圧）を出力するための信号出力回路（図示せず）が接続されており、この信号出力回路の出力信号はミラー駆動用のマイクロコンピュータ（図示せず）に与えられるようになっていると共に、端子２４msｗと端子２４ｅにも、両端子間の抵抗値に応じた信号（電圧）を出力するための信号出力回路（図示せず）が接続されており、この信号出力回路の出力信号は左右のミラー駆動回路（図示せず）を選択的に有効化するミラー切換回路（図示せず）に接続されている。
【００２５】
また、図９は第１〜第４のスイッチ部２０〜２３の配置と、これらスイッチ部２０〜２３と各抵抗２５、２７、２８、２９との接続の関係を示している。
上記構成において、例えばユーザーが、ミラー左右切り替えノブ１１ｂを左方向に操作し、操作ノブ１２の左部のマーク１２ｇ部分を押し込み操作すると、プッシャー１９の左辺部が図６のように変位する。これにより、図６のＳ−Ｓ断面を示す図１０のように、プッシャー１９の左辺部が弾性押圧子１５、１６を変形させ、これにより、第２のスイッチ部２１、及び第３のスイッチ部２２がオンする。
【００２６】
この場合、本実施例によれば、プッシャー１９の左辺部の両角部位の２か所にスイッチ部２１、２２の弾性押圧子１５、１６が存在することで、この左辺部を若干斜めに押し込み操作したり偏心部位を押し込み操作したりしても、その左辺部に対応する両角部位の２か所の弾性押圧子１５、１６が略均等に押圧され、この結果、スイッチ部２１、２２を確実に動作させる。
そして、前記操作ノブ１２の操作に基づいてスイッチ部２１、２２がオンすると、図１１（ａ）、及び図１２に示すように、端子２４ｍと端子２４ｅ´間の抵抗値が第２の抵抗２７（１００Ω）、第３の抵抗２８（５６０Ω）とこれと並列の第１の抵抗２５（３９０Ω）と、第４の抵抗２９（４７０Ω）との合成抵抗値（この場合８００Ω）となる。このとき、ミラー左右切り替えノブ１１ｂの操作と同方向側の、つまり左側のミラー鏡面が左向きに動作する。
【００２７】
また、プッシャー１９の右辺部が押し込み操作されると、第１のスイッチ部２０と第４のスイッチ部２３とがオンして、図１１（ｂ）、及び図１２に示すように、端子２４ｍと端子２４ｅ´間の抵抗値が第１の抵抗２５（３９０Ω）とこれと並列の第３の抵抗２８（５６０Ω）との合成抵抗値（この場合２３０Ω）となる。このとき、左側のミラー鏡面は右向きに動作する。
【００２８】
また、プッシャー１９の上辺部が押し込み操作されると、第１のスイッチ部２０と第２のスイッチ部２１とがオンして、図１１（ｃ）、及び図１２に示すように、端子２４ｍと端子２４ｅ´間の抵抗値が第２の抵抗２７の抵抗値（１００Ω）となる。このとき、左側のミラー鏡面は上向きに動作する。
また、プッシャー１９の下辺部が押し込み操作されると、第３のスイッチ部２２と第４のスイッチ部２３とがオンして、図１１（ｄ）、及び図１２に示すように、端子２４ｍと端子２４ｅ´間の抵抗値が第４の抵抗２９の抵抗値（４７０Ω）となる。このとき、左側のミラー鏡面は下向きに動作する。
【００２９】
また、プッシャー１９の中心部が押し込み操作されると、第１〜第４のスイッチ部２０〜２３が夫々オンして、図１１（ｅ）、及び図１２に示すように、端子２４ｍと端子２４ｅ´間の抵抗値が６１Ωとなる。このとき、左側のミラーは、配設された幅方向に対して折りたたまれるように格納される。
以上のように、本実施例によれば、プッシャー１９の矩形の各辺部の各角部位４か所にスイッチ部２０〜２３を配設しているから、スイッチ部の個数を削減できる。この場合、プッシャー１９の各辺部を押し込み操作したとき、この各辺部の両端部にスイッチ部が存在するから、両スイッチ部が確実に押し込み操作され、確実にスイッチ動作する。
【００３０】
また、本実施例によれば、スイッチ動作パターンごとに一対の端子２４ｍ、２４ｅ´間の抵抗値を変更するスイッチ回路部２４を設けているから、プッシャー１９の４つの各辺部の押し込み操作、及びプッシャー１９の中心部の押し込み操作に応じて、一対の端子間２４ｍ、２４ｅ´から、５つの抵抗値パターンを得ることができて、比較的簡素な回路構成とすることができると共に、５つの抵抗値パターンを得られるので、操作の選択肢を増加させることができる。
【００３１】
つまり、１〜４つ目の夫々の抵抗値パターンに応じて、例えばミラー鏡面を上向き、下向き、右向き、左向きに夫々駆動させるようにし、５つ目の抵抗値パターンに応じて、例えばミラーを格納させるように構成することができ、例えばミラーを格納させるミラー格納ノブを別途設ける必要がなくなり、ミラースイッチ装置全体としての組立性、或いはユーザーの使用感を向上させることができる。
【００３２】
なお、本発明は、上述し、且つ図面に示す各実施例に限定されることはなく、例えば、スイッチ部２０〜２３は、タクトスイッチ等の他のスイッチから構成したりして、要旨を逸脱しない範囲で適宜変更可能である。
【図面の簡単な説明】
【００３３】
【図１】本発明の一実施例を表すもので、スイッチ部の配置を示すプリント配線基板の平面図
【図２】ミラースイッチ装置の平面図
【図３】同縦断側面図
【図４】押圧子ユニットの平面図
【図５】操作ノブを透過して示すミラースイッチ装置の平面図
【図６】一部スイッチ部がオン状態にある様子を示す図
【図７】スイッチ回路部、及びミラー切り替え回路部の回路図
【図８】抵抗値別によるミラー、及びミラー鏡面の動作を示す図
【図９】スイッチ部、及び各抵抗の接続を概略的に示す図
【図１０】図６のＳ−Ｓ線に沿う断面図
【図１１】スイッチ操作に伴う合成抵抗値変化のパターンを示す図
【図１２】操作ノブの操作によって得られる出力抵抗を示す図
【図１３】従来例を示す図２相当図
【図１４】図４相当図
【図１５】図１相当図
【図１６】図３相当図
【符号の説明】
【００３４】
図中、１１はミラースイッチ装置、１９はプッシャー、２０〜２３は夫々第１、第２、第３、第４のスイッチ部、２４はスイッチ回路部、２５は第１の抵抗（複数の抵抗）、２６は第１の直流回路、２７〜２９は夫々第２、第３、第４の抵抗（複数の抵抗）、３０は第２の直流回路、Ｓａ〜Ｓｄは夫々接続点である。
【図１】
2005044724.tif 000003
【図２】
2005044724.tif 000004
【図３】
2005044724.tif 000005
【図４】
2005044724.tif 000006
【図５】
2005044724.tif 000007
【図６】
2005044724.tif 000008
【図７】
2005044724.tif 000009
【図８】
2005044724.tif 000010
【図９】
2005044724.tif 000011
【図１０】
2005044724.tif 000012
【図１１】
2005044724.tif 000013
【図１２】
2005044724.tif 000014
【図１３】
2005044724.tif 000015
【図１４】
2005044724.tif 000016
【図１５】
2005044724.tif 000017
【図１６】
2005044724.tif 000018